(57)【要約】      （修正有）【課題】外周部の信号特性の悪化を抑えつつ、他の少なくとも１つの光ディスク記録媒体を積み重ねたときの張り付きを低減することができる光ディスクを提供する。【解決手段】光ディスク記録媒体１００は、円盤形状の基板１０１と、基板の少なくとも一方の面に形成された少なくとも１つの記録層１１０と、基板及び記録層の上に形成されたカバー層１０２とを備える光ディスク記録媒体において、カバー層は、基板の中心から第１の半径を有する円の内部において、基板の表面を基準として第１の厚さｄ１を有し、基板の中心から第１の半径よりも長い第２の半径を有する円周上において、基板の表面を基準として第１の厚さより大きい第２の厚さｄ２を有し、基板の中心から第１の半径よりも短い第３の半径を有する円周上において、基板の表面を基準として第２の厚さより大きい第３の厚さｄ３を有する。【選択図】図１
2020021526.tif 000002
【特許請求の範囲】
【請求項１】
円盤形状の基板と、
前記基板の少なくとも一方の面に形成された少なくとも１つの記録層と、
前記基板と、前記記録層の上に形成されたカバー層とを備える光ディスク記録媒体において、
前記カバー層は、
前記基板の中心から第１の半径を有する円の内部において、前記基板の表面を基準として第１の厚さを有し、
前記基板の中心から前記第１の半径よりも長い第２の半径を有する円周上において、前記基板の表面を基準として前記第１の厚さより大きい第２の厚さを有し、
前記基板の中心から前記第１の半径よりも短い第３の半径を有する円周上において、前記基板の表面を基準として前記第２の厚さより大きい第３の厚さを有する、
光ディスク記録媒体。
【請求項２】
前記カバー層は、前記記録層の全領域のうちで情報を記録するために使用可能な領域の上において、前記基板の表面を基準として前記第１の厚さを有する、
請求項１記載の光ディスク記録媒体。
【請求項３】
前記第２の厚さと前記第１の厚さとの差は１２０μｍ以下である、
請求項１〜２のうち１つに記載の光ディスク記録媒体。
【請求項４】
前記第３の厚さが前記第２の厚さより大きい、
請求項１〜３のうち１つに記載の光ディスク記録媒体。
【請求項５】
前記第３の厚さと前記第１の厚さとの差は７５μｍ以上である、
請求項１〜４のうち１つに記載の光ディスク記録媒体。
【請求項６】
前記第３の厚さと前記第１の厚さとの差は１０５μｍ以下である、
請求項１〜５のうち１つに記載の光ディスク記録媒体。
【請求項７】
前記基板の少なくとも一方の面において、少なくとも１つの中間層を挟んで積層された複数の記録層を備える、
請求項１〜６のうちの１つに記載の光ディスク記録媒体。
【請求項８】
前記カバー層は、前記基板の中心から第１の半径よりも長く前記第２の半径よりも短い第４の半径を有する円周上において、前記基板の表面を基準として前記第１の厚さより小さい第４の半径を有する、
請求項１〜７のうちの１つに記載の光ディスク記録媒体。
【請求項９】
請求項１〜８に記載の光ディスク記録媒体を前記カバー層を形成していない面同士で対向させて貼り合わせて形成した、
光ディスク記録媒体。
【発明の詳細な説明】
【技術分野】
【０００１】
本発明は、情報記録または読み出しが可能な光ディスク記録媒体に関する。
【背景技術】
【０００２】
記録再生装置と、複数の光ディスクと、複数の光ディスクのうちのいずれかを取り出して記録再生装置まで移動させる搬送装置とを備えた光ディスクライブラリ装置が知られている。このような光ディスクライブラリ装置では、筐体の寸法を増大させることなくより多くのデータを格納するために、例えば、光ディスク間の距離をなるべく小さくするように、光ディスクは積み重ねて収納される。他の少なくとも１つの光ディスク記録媒体と積み重ねた場合の張り付きを低減する方法が特許文献１で開示されている。
【０００３】
特許文献１は、光ディスクの情報を記録するために使用可能な領域の外側に、前述領域のカバー層の厚みよりも厚みのある凸部を設けた光ディスク記録媒体を開示する。このような構成をとることにより、平坦な面を有する複数の光ディスクを積み重ね、互いに密着させた場合でも、光ディスクが互いに張り付くことなく、単独の光ディスクを容易に取り出すことができるようになる。また、内側にも凸部を設けることで、張り付きを緩和又は防止する性能をより向上させている。
【先行技術文献】
【特許文献】
【０００４】
【特許文献１】特開２０１７−１７４４８７号公報
【発明の概要】
【発明が解決しようとする課題】
【０００５】
本出願の発明者は、複数の光ディスクの積み重ねにより光ディスクが張り付いてしまう課題を特許文献１の方法で解決した際に、新たな課題が発生する場合があることを発見した。
【０００６】
特許文献１では外周側リブと呼ばれる記録に使用可能な領域の外側に設けた凸部が、前述領域の平坦面の接触を防ぐことで、張り付きを緩和又は防止している。
【０００７】
しかしながら、外周側リブでのみ、上部の光ディスクの重みを支えることで、複数の光ディスクを積み重ねた場合に、下部の光ディスクの外周部に荷重が集中してしまう。そのため、荷重が集中した部分に歪みを生じ、その歪みが記録に使用可能な領域まで達すると、より高密度に記録可能な光ディスクでは、記録や再生の品質の悪化が生じてしまう。
【０００８】
本開示は、特に高密度に記録可能な光ディスク記録媒体において、長期保存時に、外周部の信号特性の悪化を抑えつつ、他の少なくとも１つの光ディスク記録媒体を積み重ねたときの張り付きを低減することができる光ディスクを提供することである。
【課題を解決するための手段】
【０００９】
本開示にかかる光ディスク記録媒体は、円盤形状の基板と、基板の少なくとも一方の面に形成された少なくとも１つの記録層と、基板及び記録層の上に形成されたカバー層とを備える。カバー層は、基板の中心から第１の半径を有する円の内部において、基板の表面を基準として第１の厚さを有する。カバー層は、基板の中心から第１の半径よりも長い第２の半径を有する円周上において、基板の表面を基準として第１の厚さより大きい第２の厚さを有する。カバー層は、基板の中心から第１の半径よりも短い第３の半径を有する円周上において、基板の表面を基準として第２の厚さより大きい第３の厚さを有する。
【発明の効果】
【００１０】
本開示における光ディスク記録媒体は、外周部の信号特性の悪化を抑えつつ、他の少なくとも１つの光ディスク記録媒体と積み重ねたときの張り付きを低減できる。
【図面の簡単な説明】
【００１１】
【図１】本実施の形態１にかかる光ディスクの断面図
【図２】本実施の形態１の第１の変形例にかかる光ディスク１００Ａの断面図
【図３】本実施の形態１の第２の変形例にかかる光ディスク１００Ｂの断面図
【図４】第１の従来技術にかかる光ディスク２００の断面図
【図５】第１の従来技術にかかる光ディスク２００−１、２００−２を積み重ねた状態を示す断面図
【図６】本実施の形態１にかかる光ディスク１００−１、１００−２を積み重ねた状態を示す断面図
【図７】光ディスク１００−１の外周部が光ディスク１００−２に接触している状態を示す図
【図８】本実施の形態２にかかる光ディスク１００Ｃ断面図
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を十分に理解するために添付図面および以下の説明を提供するのであって、これらによって特許請求の範囲に記載の主題を限定することを意図するものではない。
【００１４】
（実施の形態１）
以下、図１〜図８を参照しながら実施の形態にかかる光ディスクについて説明する。
【００１５】
図１は、実施の形態１にかかる光ディスク１００の断面図である。光ディスク１００は、少なくとも円盤形状の基板１０１と基板１０１の少なくとも一方に形成された少なくとも１つの記録層１１０と、基板１０１及び記録層１１０の上に形成されたカバー層１０２とを備える。図１の例では、１つの記録層１１０及びカバー層１０２が基板１０１の一方の面に設けられる。
【００１６】
光ディスク１００は、記録層１１０の全領域のうちで情報を記録するために使用可能な領域を含む記録領域Ａ１と、記録領域Ａ１よりも半径方向の外側にある外周領域Ａ２と、記録領域Ａ１よりも半径方向の内側にある内周領域Ａ３とを有する。
【００１７】
さらに、カバー層１０２は、基板１０１の中心から第１の半径ｒ１を有する円の内部、かつ、基板１０１の中心から第１の半径ｒ１よりも小さい半径ｒ０を有する円の外部において、基板１０１の表面を基準として第１の厚さｄ１を有する。半径ｒ１を有する円は記録領域の外周であり、半径ｒ０を有する円は記録領域の内周である。言い換えると、カバー層１０２は、記録層１１０の全領域のうちで情報を記録するために使用可能な領域の上において（すなわち、基板１０１の記録領域Ａ１の上において）、基板１０１の表面を基準として第１の厚さｄ１を有し、実質的に平坦に形成される。
【００１８】
さらに、カバー層１０２は、基板１０１の中心から第１の半径ｒ１よりも長い第２の半径ｒ２を有する円周上において、基板１０１の表面を基準として第１の厚さｄ１より大きい第２の厚さｄ２を有する。本明細書において、半径ｒ２を有する円周上の厚さｄ２を有する部分及びその近傍を「外周側リブ１０３」という。外周側リブ１０３は、例えば環状に形成される。
【００１９】
基板１０１は、中心から半径ｒ０よりも短い第３の半径ｒ３を有する円周上において、基板１０１の表面を基準として第２の厚さｄ２よりも大きい第３の厚さｄ３を有する。本明細書において、半径ｒ３を有する円周上の高さｄ３を有する部分及びその近傍を「内周側リブ１０４」という。内周側リブ１０４は、例えば環状に形成される。
【００２０】
基板１０１は、所定の厚み及び円盤形状を有し、中心穴１０７を有する。本明細書において、基板１０１の各面を「円盤面」という。基板１０１はポリカーボネート等の透明な熱可塑性樹脂を射出成形することによって形成される。カバー層１０２は、紫外線硬化性樹脂を用い、例えばスピンコート法によって基板１０１の円盤面上に形成される。また、実施の形態１において、外周側リブ１０３は、カバー層１０２と同一材料により一体で形成し、内周側リブ１０４は基板１０１と同一材料により一体で形成している。
【００２１】
外周側リブ１０３は、記録領域Ａ１におけるカバー層１０２の表面よりも基板１０１の円盤面の法線方向に突出するように、外周領域Ａ２に設けられる。
【００２２】
内周側リブ１０４は、外周側リブ１０３よりも基板１０１の円盤面の法線方向に突出するように、内周領域Ａ３に設けられる。
【００２３】
図２は、実施の形態１の第１の変形例にかかる光ディスク１００Ａの断面図である。光ディスクは、少なくとも一方の面において、少なくとも１つの中間層を挟んで積層された複数の記録層を備える多層型光ディスクであってもよい。例えば、多層型光ディスクは、３つの記録層を含む、いわゆる３層型光ディスクであってもよい。図２の光ディスク１００Ａは、基板１０１の一方の面において、中間層１２１，１２２を挟んで積層された記録層１１１〜１１３を備える。中間層１２１，１２２によって、記録層１１１〜１１３は互いに分離される。本明細書において、記録層１１１〜１１３及び中間層１２１，１２２をまとめて、「積層記録層１１０Ａ」という。
【００２４】
また、光ディスク１００及び１００Ａは、カバー層１０２と外周側リブ１０３の表面に、傷つき防止のためのハードコート層を形成してもよい。さらには、内周側リブ１０４にハードコート層を形成してもよい。
【００２５】
図３は、実施の形態１の第２の変形例にかかる光ディスク１００Ｂの断面図である。光ディスクは、基板の両面にそれぞれ形成された記録層及びカバー層を備え、両面の記録層に情報の記録及び再生を行う両面型光ディスクであってもよい。図３の光ディスク１００Ｂは、図１の光ディスク１００と同様に構成された２つのディスク部分を備え、これらのディスク部分におけるカバー層を形成していない面同士を対向させて接着層１０６により貼り合わせて構成される。光ディスク１００Ｂの上側ディスク部分は基板１０１−１、カバー層１０２−１、外周側リブ１０３−１、内周側リブ１０４−１、及び記録層１１０−１を備える。光ディスク１００Ｂの下側のディスク部分は、基板１０１−２、カバー層１０２−２、外周側リブ１０３−２、内周側リブ１０４−２、及び記録層１１０−２を備える。光ディスク１００Ｂのこれらの構成要素は、図１の光ディスク１００の対応する構成要素と同様に構成される。
【００２６】
両面型光ディスクは図１の光ディスク１００と同様に構成されたディスク部分に限らず、図２の光ディスク１００Ａと同様に構成されたディスク部分を備えてもよい。
【００２７】
また、両面型光ディスクにおいては、一方の面のみに外周側リブを設けてもよく、両方の面に外周側リブを設けてもよい。同様に、一方の面のみに内周側リブを設けてもよく、両方の面に内周側リブを設けてもよい。
【００２８】
ここで、従来技術に係る光ディスクについて説明する。
【００２９】
図４は、第１の従来技術にかかる光ディスク２００の断面図である。光ディスク２００は、基板２０１、カバー層２０２、外周側リブ２０３、内周側リブ２０４、及び記録層２１０を備える。外周側リブの厚みｄ２が内周側リブの厚みｄ３よりも大きい例である。
【００３０】
ここで光ディスクの使用形態の観点から、従来技術にかかる光ディスクの課題について説明する。
【００３１】
データセンターにおいて、長期保存を行う必要があるコールドデータの保管又はバックアップといった用途で、多数の大容量の光ディスクを使用することがある。この場合、膨大な数の光ディスクをできるだけコンパクトに保管するためには、光ディスクは隙間をあけることなく積み重ねられる。
【００３２】
図５は、第１の従来技術にかかる光ディスク２００−１，２００−２を積み重ねた状態を示す断面図である。光ディスク２００−１，２００−２はそれぞれ、図４の光ディスク２００と同様に構成される。光ディスク２００−１は、基板２０１−１、カバー層２０２−１、外周側リブ２０３―１、内周側リブ２０４―１、記録層２１０―１を備える。光ディスク２００−２は、基板２０１−２、カバー層２０２−２、外周側リブ２０３―２、内周側リブ２０４―２、記録層２１０―２を備える。
【００３３】
光ディスクのカバー層の表面は、記録再生光を乱すことなく安定にデータの記録再生を行う観点から、非常に平滑性が高く形成されている。光ディスクを積み重ねて保管する場合、その平滑性の高さゆえに光ディスク同士が張り付いてしまい、容易に分離することができない場合がある。特に大容量の両面型ディスクを用いる場合、カバー層の表面同士を密着させて積み重ねることになるので、光ディスクが張り付いてしまう傾向はより顕著になる。
【００３４】
このような場合、積み重ねて保管した光ディスクのうちのいずれかを取り出して記録又は再生しようとしても、１枚の光ディスクを取り出すことができず、記録再生装置に大きなトラブルを引き起こすことが想定される。
【００３５】
特許文献１では、光ディスクの外周部に図５で示す外周側リブ２０３−１、２０３―２を設けることで、張り付きを緩和又は防止している。さらに、図５で示す内周側リブ２０４―１、２０４―２を備えることにより、光ディスク同士の張り付きを緩和又は防止する性能をより向上させる形態も示している。
【００３６】
しかし、本出願の発明者らは、新たな課題を見出した。それは、より高密度に記録した光ディスクを積み重ねて保管した場合に、下部の光ディスクが上部の光ディスクの重量を外周側リブで支えることにより、下部の光ディスクの外周部に歪みを生じ、記録再生信号の品質低下を生む点である。
【００３７】
図５で示されるように、外周側リブ２０３−１、２０３―２の厚みであるｄ２−１、ｄ２―２が、それぞれ内周側リブ２０４−１、２０４―２の厚みであるｄ３−１、ｄ３―２より大きい場合、上部の光ディスク２００−１の重量は下部の光ディスク２００−２の外周側リブ２０３―２に集中する。
【００３８】
下部の光ディスク２００−２の外周部は、外周にかかった力により、重力方向へ歪みを生じる。この歪みが、記録領域Ａ１の範囲まで影響した場合、記録再生光を歪め、より高密度で記録した光ディスクにおいては記録再生信号の品質低下の原因となる。本出願の発明者らはこの課題について着目した。
【００３９】
図６は、実施の形態１にかかる光ディスク１００−１、１００−２を積み重ねた状態を示す断面図である。光ディスク１００−１、１００−２はそれぞれ、図１の光ディスク１００と同様に構成される。光ディスク１００−１は、基板１０１−１、カバー層１０２−１、外周側リブ１０３―１、内周側リブ１０４―１、記録層１１０―１を備える。光ディスク１００−２は、基板１０１−２、カバー層１０２−２、外周側リブ１０３―２、内周側リブ１０４―２、記録層１１０―２を備える。
【００４０】
本出願の発明者らは、上記の課題を克服するため実施の形態１にかかる図１に示すような構成を提案する。実施の形態１にかかる光ディスク１００は、記録領域Ａ１におけるカバー層１０２の表面よりも突出した外周側リブ１０３と、記録領域Ａ１におけるカバー層１０２表面よりも突出した内周側リブ１０４を備え、内周側リブ１０４の基板１０１からの厚みｄ３は外周側リブ１０３の基板１０１からの厚みｄ２よりも大きい。
【００４１】
図５及び図６は、光ディスクを積み重ねた場合の、外周側リブ及び内周側リブの厚みの大小関係の比較を示す。図６の光ディスク１００−１、１００−２は内周側リブ１０４―１、１０４―２の厚みが外周側リブ１０３―１、１０３―２の厚みよりも大きいことで、外周部が接触することなく積み重ねられている。従って、外周部に荷重が集中することなく、下部の光ディスク１００−２に歪みを生じさせず、記録再生信号の品質悪化も生じない。
【００４２】
図６で示されるように、外周部が接触することなく積み重ねられている場合でも、光ディスクが自重によりたわみ、外周部が垂れ下がる場合がある。図７は、図６の光ディスクと同様の構成で、自重により光ディスクがたわみ、上部の光ディスク１００−１の外周側リブ１０３−１が、下部の光ディスク１００−２の外周側リブ１０３―２に接触した状態を示す。
【００４３】
図７のように、積み重ねた光ディスクの外周部が垂れ下がることで、積み重ねた光ディスクの外周側リブ同士が接触している場合、下部の光ディスク１００−２は、内周側リブ１０４―２と外周側リブ１０３―２に荷重が掛かっている。内周側リブ１０４−１、１０４―２の厚みが、外周側リブ１０３−２、１０３―２に比べて大きいほど、内周側リブ１０４―２に掛かる荷重が大きくなり、外周側リブ１０３―２に掛かる荷重が小さくなる。反対に、内周側リブ１０４−１、１０４―２の厚みが、外周側リブ１０３−２、１０３―２に比べて小さいほど、内周側リブ１０４―２に掛かる荷重が小さくなり、外周側リブ１０３―２に掛かる荷重が大きくなる。
【００４４】
内周側リブ１０４が高いほど、光ディスクの張り付きの解消及び、外周部への荷重集中の回避には効果的であるが、内周側リブ１０４を過度に高くすると、光ディスク１００の総厚みを大きくすることになり、保管場所を圧迫する。内周側リブ１０４は張り付きを緩和又は防止できる外周側リブ１０３の大きさを求めた上で、光ディスクの外周部へ歪みを生じさせない最低値にすることが望ましい。
【００４５】
外周側リブに荷重が掛かった場合に、記録再生光に影響がでやすい理由として、荷重の加わる外周側リブと記録領域Ａ１が近いことが挙げられる。内周側リブは記録領域Ａ１からより離した位置に設けることが可能であり、記録再生光への影響を低減することができる。
【００４６】
本出願の発明者らは試行を繰り返し、好ましい条件として以下の組み合わせを見出した。カバー層１０２は、記録領域Ａ１の上において平均して、例えば第１の厚さｄ１＝９５〜１０５μｍを有してもよい。第１の厚さｄ１は、記録領域Ａ１において、例えば±２μｍの交差を有してもよい。記録領域Ａ１におけるカバー層１０２の表面に対する外周側リブ１０３の高さ（すなわち、ｄ２−ｄ１）は、外周側リブ１０３とピックアップヘッドの衝突を回避するため、半径ｒ２を有する円周上において平均して、例えば約４０μｍ〜約１０５μｍの範囲のうちのいずれかの値に設定されてもよい。外周側リブ１０３の高さは、半径ｒ２を有する円周上において、例えば±１５μｍの公差を有してもよい。記録領域Ａ１におけるカバー層１０２の表面に対する内周側リブ１０４の高さ（すなわち、ｄ３−ｄ１）は、保管場所を圧迫せず、かつ外周部における荷重が、外周部に、記録再生信号の悪化を引き起こすほどの歪みを生まないため、半径ｒ３を有する円周上において平均して、約９０μｍに設定されてもよい。内周側リブ１０４の高さは、半径ｒ３を有する円周上において、例えば±１５μｍの公差を有してもよい。いずれにしても、外周側リブ１０３は、記録領域Ａ１におけるカバー層１０２の表面よりも突出するように形成され（ｄ２＞ｄ１）、内周側リブ１０４は、記録領域Ａ１におけるカバー層１０２の表面よりも突出するように形成され（ｄ３＞ｄ１）、その突出量は、外周側リブ１０３に比べて大きい（ｄ３＞ｄ２＞ｄ１）。
【００４７】
光ディスクは、例えば、外径おおよそ１２０ｍｍ、内径おおよそ１５ｍｍ、厚さおおよそ１．１〜１．５ｍｍを有し、その記録領域Ａ１の外周は半径ｒ１＝５８．５ｍｍを有してもよい。これによって、従来のＣＤ、ＤＶＤ、Ｂｌｕ−ｒａｙ（登録商標）ディスクとの互換性が高くなる。この場合、外周側リブは、例えば、光ディスクの中心から半径５８．５ｍｍの位置よりも外周側に形成されてもよい。これによって、外周側リブは記録領域Ａ１に干渉しにくくなり、記録再生光へ影響しにくくなる。
【００４８】
また、光ディスクの記録領域Ａ１の内周はｒ０＝約２１ｍｍを有してもよい。この場合、内周側リブは、例えば、光ディスクの中心から半径２１ｍｍの位置よりも内周側に形成されてもよい。記録再生光への影響を低減するため、半径ｒ３＝約１０ｍｍの位置よりも内周側に形成されることが望ましい。
【００４９】
図６では、光ディスク１００−１、１００−２を積み重ねた場合を示した。しかしながら、片面に１つ、又は複数の記録層をそれぞれ有する複数の光ディスクを、記録層を有する面と記録層をもたない面とが対向するように積み重ねても、図６の例と同様の効果が得られる。また、両面に複数の記録層を有する、両面型光ディスクを積層する場合も、図６の例と同様の効果が得られる。
【００５０】
（実施の形態２）
図８は、実施の形態２にかかる光ディスク１００Ｃの断面図である。光ディスク１００Ｃは、基板１０１の中心から第１の半径ｒ１よりも長く第２の半径ｒ２よりも短い第４の半径ｒ４を有する円周上において、基板の表面を基準として第１の厚さより小さい第４の厚さｄ４を有する円周形状の凹部１０８を備える。本明細書において、半径ｒ４を有する円周上の高さｄ４を有する部分及びその近傍を「凹部１０８」という。凹部１０８は例えば環状に形成される。光ディスク１００Ｃの他の部分は図１の光ディスク１００と同様に構成される。
【００５１】
図８のように、光ディスク１００Ｃが外周側リブ１０３、内周側リブ１０４に加えて凹部１０８を備えることによって、上部の光ディスクが自重により垂れ、傾いた場合でも、凹部１０８を備えることで、カバー層１０２が平坦に形成されている部分同士が触れ合わず、外周部の接点が外周側リブ１０３のみとなることで、光ディスクの張り付きを緩和又は防止する性能を実施の形態１に比較してさらに向上させることができる。
【００５２】
凹部１０８は、例えば紫外線硬化性樹脂を用い、スピンコート法によって形成される。
【００５３】
記録領域Ａ１におけるカバー層１０２の表面に対する凹部１０８の深さ（すなわち、ｄ１−ｄ４）は、半径ｒ４を有する円周上において平均して、例えば約１０μｍ〜約２０μｍに設定されてもよい。凹部１０８の深さは、半径ｒ４を有する円周上において、例えば±２０μｍの公差を有してもよい（ただし、記録領域Ａ１におけるカバー層１０２の表面よりも突出しない）。凹部１０８の深さは、外周側リブ１０３の高さと連動して変化してもよい。
【００５４】
なお、光ディスク１００Ｃは、基板の両面にそれぞれ形成された記録層及びカバー層を備え、両面の記録層に情報の記録及び再生を行う両面型光ディスクであっても、同様の効果を得ることができる。
【００５５】
（実施の形態にかかる光ディスクの製造方法）
以下、本実施の形態にかかる光ディスクの製造方法について説明する。
【００５６】
本実施の形態にかかる光ディスクの外周側リブの製造方法に関しては、特許文献１で示されている方法と同様である。
【００５７】
本実施の形態では、内周側リブ１０４は基板１０１と同一材料により一体で形成している。基板１０１はポリカーボネート等の透明な熱可塑性樹脂を射出成形することによって形成される。金型の形状と成形時の圧力を調整することにより、内周側リブ１０４の厚さは制御することができる。
【００５８】
光ディスクの表面の硬度をさらに上げるためにハードコート層を形成してもよい。ハードコート層によって光ディスクの表面の硬度が上がることにより、光ディスクを積み重ねた際の張り付きをさらに緩和することも可能である。
【００５９】
さらには上記に示した方法とは異なる製造方法で内周側リブ１０４を形成してもよい。例えば、ドーナツ形状の内周側リブを別途形成してから基板１０１に張り付けてもよい。また、紫外線硬化樹脂等を用いて内周側リブ１０４を形成してもよい。これらの方法でも、光ディスク同士の張り付きの緩和、張り付いた場合の容易な分離、記録再生光への影響の抑制などの同様の効果を得ることができる。
【産業上の利用可能性】
【００６０】
本開示の光ディスク記録媒体は、情報を記録する記憶媒体の１つとして産業上の利用が可能である。
【００６１】
本開示の光ディスク記録媒体は、光ディスクを積み重ねて保管する場合の光ディスク同士の張り付きの緩和又は防止を可能にし、また張り付いた場合の容易な分離を可能とし、記録再生信号への影響も抑制されている。従って、特にデータセンター等での長期保存が求められる用途への応用が可能である。
【００６２】
本開示の光ディスク記録媒体は、特に、大容量と有する両面型の光ディスク記録媒体に適用可能である。
【００６３】
本開示の光ディスク記録媒体は、光ディスクを平面に置いた場合にも、平面部への張り付きの緩和又は防止を可能にし、また張り付いた場合の容易な分離を可能とし、記録再生信号への影響も抑制されている。従って、ＣＤ、ＤＶＤ、Ｂｌｕ−ｒａｙ（登録商標）に適用可能である。
【符号の説明】
【００６４】
１００、１００Ａ、１００Ｂ、１００Ｃ、２００  光ディスク
１０１、１０１−１、１０１−２、２０１、２０１−１、２０１−２  基板
１０２、１０２−１、１０２−２、２０２、２０２−１、２０２−２  カバー層
１０３、１０３−１、１０３−２、２０３、２０３−１、２０３−２  外周側リブ
１０４、１０４−１、１０４−２、２０４、２０４−１、２０４−２  内周側リブ
１０６  接着層
１０７  中心穴
１０８  凹部
１１０、１０１−１、１０１−２、１１１、１１２，１１３、２１０、２１０−１、２１０−２  記録層
１２１、１２２  中間層
１１０Ａ  積層記録層
Ａ１  記録領域
Ａ２  外周領域
Ａ３  内周領域
【図１】
2020021526.tif 000003
【図２】
2020021526.tif 000004
【図３】
2020021526.tif 000005
【図４】
2020021526.tif 000006
【図５】
2020021526.tif 000007
【図６】
2020021526.tif 000008
【図７】
2020021526.tif 000009
【図８】
2020021526.tif 000010